(57)【特許請求の範囲】
【請求項１】
表側を作業床面とした足場板と、
前記足場板の両端部にそれぞれ取り付けられ、前記足場板に対して所定角度で開脚した開脚姿勢と、前記足場板と略平行に折り畳んだ折畳姿勢とに回動可能な一対の支持脚と、
前記足場板の端部に取り付けられた固定板と、前記支持脚の上端部に取り付けられた回動板と、両板に形成されたピン孔に挿通可能なストッパーピンとを有し、当該ストッパーピンを、互いに重合させた前記ピン孔に挿通することにより、前記支持脚を前記開脚姿勢と前記折畳姿勢とに保持可能とした固定機構と、
を備える作業台において、
前記ピン孔は、
前記回動板に形成され、前記支持脚の開脚姿勢時に前記ストッパーピンが挿入される第１のピン係合孔と、前記支持脚の折畳姿勢時に前記ストッパーピンが挿入される第２のピン係合孔と、前記固定板に形成されたピン挿通孔と、を有し、
前記固定機構は、
前記ストッパーピンの先端形状を先細のテーパ状に形成する一方、前記第１のピン係合孔には、前記ストッパーピンの先端形状に対応した内周面を有する外側ブッシュを配設し、前記ピン挿通孔には前記ストッパーピンの軸部の形状に対応した内周面を有する内側ブッシュを配設したことを特徴とする作業台。
【発明の詳細な説明】
【技術分野】
【０００１】
本発明は、作業面となる足場板と、この足場板に対して開脚及び折畳可能に取り付けられた支持脚とを備えた作業台に関する。
【背景技術】
【０００２】
従来、この種の作業台が種々提案されており、その一例として、作業面が形成された足場板と、この足場板の両端部にそれぞれ取り付けられ、前記足場板に対して所定角度で開脚した開脚姿勢と、前記足場板と略平行に折り畳んだ折畳姿勢とに回動可能な一対の支持脚とを備えたものがあった（例えば、特許文献１を参照。）。
【０００３】
支持脚を回動させ、かつ開脚位置と折畳位置とで固定する機構としては、足場板の端部に取り付けられた固定板と、支持脚の上端部に取り付けられた回動板とを備えた構成が一般的である。
【０００４】
すなわち、図６に示すように、足場板１００側に取り付けられた固定板２００と、支持脚（図示せず）側に取り付けられた回動板３００とにそれぞれ形成されたピン孔４００，５００に、バネ（図示せず）によって付勢されて突出するストッパーピン６００を嵌挿することにより、支持脚を保持可能とした周知構造のものが一般的に採用されている。
【先行技術文献】
【特許文献】
【０００５】
【特許文献１】特開２００５−２３２９４８号公報
【発明の開示】
【発明が解決しようとする課題】
【０００６】
しかしながら、上述した従来の構成は、ストッパーピン６００の先端が先細りのテーパ状に形成されており、かかるストッパーピン６００が固定板２００及び回動板３００のピン孔４００，５００内に嵌入した状態では、図６に示すように、その先端部分が各ピン孔４００，５００の内周縁に当接して係合していた。
【０００７】
これでは、ストッパーピン６００とピン孔４００，５００とが経時的に摩耗してしまい、やがてはストッパーピン６００とピン孔４００，５００との間に隙間が生じて揺れやガタつきを引き起こす虞があった。
【０００８】
揺れやガタが生じると、足場板上での作業に支障が生じる虞もあって、市場からは、極力ガタつきを生じることのない作業台が望まれている。
【０００９】
本発明は、このような事情に鑑みなされたものであり、支持脚を開脚位置で保持したときに、可及的にガタが生じないようにした作業台を提供することを目的としている。
【課題を解決するための手段】
【００１０】
（１）本発明では、表側を作業床面とした足場板と、前記足場板の両端部にそれぞれ取り付けられ、前記足場板に対して所定角度で開脚した開脚姿勢と、前記足場板と略平行に折り畳んだ折畳姿勢とに回動可能な一対の支持脚と、前記足場板の端部に取り付けられた固定板と、前記支持脚の上端部に取り付けられた回動板と、両板に形成されたピン孔に挿通可能なストッパーピンとを有し、当該ストッパーピンを、互いに重合させた前記ピン孔に挿通することにより、前記支持脚を前記開脚姿勢と前記折畳姿勢とに保持可能とした固定機構と、を備える作業台において、前記ピン孔は、前記回動板に形成され、前記支持脚の開脚姿勢時に前記ストッパーピンが挿入される第１のピン係合孔と、前記支持脚の折畳姿勢時に前記ストッパーピンが挿入される第２のピン係合孔と、前記固定板に形成されたピン挿通孔と、を有し、前記固定機構は、前記ストッパーピンの先端形状を先細のテーパ状に形成する一方、前記第１のピン係合孔には、前記ストッパーピンの先端形状に対応した内周面を有する外側ブッシュを配設し、前記ピン挿通孔には前記ストッパーピンの軸部の形状に対応した内周面を有する内側ブッシュを配設した作業台としている。
【発明の効果】
【００１３】
本発明によれば、支持脚を開脚姿勢と折畳姿勢とに保持可能とした固定機構のストッパーピンの先端形状を先細のテーパ状に形成し、ピン孔にはストッパーピンの先端形状に対応した内周面を有するブッシュを配設したため、ストッパーピンとピン孔との間の揺れやガタを可及的に無くすことができ、作業者は、より安定した状態で容易かつ安全に作業昇降することができる。
【図面の簡単な説明】
【００１４】
【図１】本実施形態に係る作業台の正面図である。
【図２】同作業台の支持脚を折り畳んだ状態を示す正面図である。
【図３】足場板と支持脚との固定機構を示す正面図である。
【図４】同固定機構のストッパーピンの作動状態を示す説明図である。
【図５】同固定機構の要部説明図である。
【図６】従来の作業台の支持脚固定構造である。
【発明を実施するための形態】
【００１５】
以下、本発明に係る作業台の一実施形態について、図面を参照しながら具体的に説明する。先ず、図１及び図２を参照して、作業台の全体構成について簡単に説明する。
【００１６】
作業台は、長方形で所定厚みを有する足場板１１と、足場板１１の長手方向の両端に設けられている伸縮自在の第１の支持脚１２及び第２の支持脚１３とを備えており、各支持脚１２，１３の上端部左右両側には、それぞれ、手摺棒１４が上下方向へ伸縮自在に取り付けられている（図３参照）。
【００１７】
そして、第１の支持脚１２の下端部には転動輪１５が取り付けられており、第２の支持脚１３側を持ち上げながら、転動輪１５を介して床面を移動させることができる。すなわち、本実施形態に係る作業台は可搬式作業台となっている。
【００１８】
さらに、本作業台は、第１、第２の支持脚１２，１３を、足場板１１に対して所定角度（例えば、７０〜８０度）で開脚した開脚姿勢と、足場板１１と略平行に折り畳んだ折畳姿勢とに回動可能とするとともに、開脚姿勢と折畳姿勢とに保持可能とした固定機構を備えている。
【００１９】
本実施形態における固定機構は、それぞれサイズ違いの固定板と回動板とを有する第１の固定機構２と第２の固定機構３とからなり、第１の固定機構２は、足場板１１の一側端部（図１及び図２における右側端部）に設けられ、第１の支持脚１２に対応している。一方、第２の固定機構３は、足場板１１の他側端部（図１及び図２における左側端部）に設けられ、第２の支持脚１３に対応している。
【００２０】
このように、左右で固定機構のサイズを異にすることで、図２に示すように、第１、第２の支持脚１２，１３を折り畳んだときに、足場板１１が床面などの載置面に平行な状態で載置することができる。
【００２１】
以下、本実施形態の要部となる固定機構について、図３〜図５を参照して詳述する。なお、第１、第２の固定機構２，３は単にサイズを異にするのみなので、以下では、第１の固定機構（以下、単に「固定機構」という場合がある）２について説明し、第２の固定機構３についての説明は省略する。
【００２２】
第１の固定機構２は、足場板１１の端部（図１及び図２における右側端部）に取り付けられた固定板２１と、第１の支持脚（以下、単に「支持脚」という場合がある）１２の上端部に取り付けられた可動板２２と、両板２１，２２に形成されたピン孔に挿通可能なストッパーピン４とを備えている。
【００２３】
固定板２１は、足場板１１の側面部に固着される基部２１ａと、足場板１１の下方に延在する略三角形状の垂下部２１ｂとを有している。
【００２４】
可動板２２は、支持脚１２の上端部側面に固着される基部２２ａと、この基部２２ａから足場板１１の長手方向に延在する扇形部２２ｂとを有し、この扇形部２２ｂの要部分と、固定板２１の垂下部１１ａの頂点部分とを、枢軸２６を介して回動自在に連結している。符号２１ｃで示したものは扇形部２２ｂに形成された補強リブ部である。
【００２５】
ピン孔は、可動板２２の扇形部２２ｂに形成され、支持脚１２の開脚姿勢時にストッパーピン４が挿入される第１のピン係合孔２３と、支持脚１２の折畳姿勢時にストッパーピン４が挿入される第２のピン係合孔２４と、固定板２１に形成されたピン挿通孔２５とからなる。第１のピン係合孔２３と第２のピン係合孔２４とは、扇形部２２ｂの弧近傍の両端部に形成されており、第２のピン係合孔２４は長孔状に形成されている。
【００２６】
また、ストッパーピン４は、図４に示すように、足場板１１の端部内側面に、当該内側面に沿ってスライド自在に取り付けられており、手掛かりとなる屈曲端部４０を有する略Ｌ字状に形成されている。
【００２７】
このストッパーピン４には、その中途に第１の突出部４１と第２の突出部４２とが形成されており、第１の突出部４１と足場板１１側に形成されたバネ座部を兼用するカラー２７との間には、ストッパーピン４をピン孔側に付勢するコイルばね２８を配設している。したがって、固定板２１のピン挿通孔２５と可動板２２の第１のピン係合孔２３又は第２のピン係合孔２４とが重合すると、コイルばね２８の付勢力により、ストッパーピン４はピン孔に自動的に挿通されることになる。他方、ピン孔との係合を解除する場合は、ユーザは、屈曲端部４０を手に持ち、コイルばね２８に抗して内側に引けばよい。
【００２８】
なお、第２の突出部４２は、後述するブッシュ６などが破損して脱落した場合においても、ストッパーピン４がピン孔（ピン挿通孔２５、第１のピン係合孔２３及び第２のピン係合孔２４）から突出しないように設けられている。
【００２９】
かかる構成により、ストッパーピン４を、互いに重合させた固定板２１のピン挿通孔２５と、可動板２２の第１のピン係合孔２３とに挿通することにより、支持脚１２を開脚姿勢に保持することができる。また、支持脚１２を折り畳んで、互いに重合させた固定板２１のピン挿通孔２５と、可動板２２の第２のピン係合孔２４とに挿通すれば、支持脚１２を折畳姿勢に保持することができる。
【００３０】
ところで、第１、第２の支持脚１２，１３には、前述したように、手摺棒１４が上下方向へ伸縮自在に取り付けられているが、当該手摺棒１４の固定は、図３に示すように、支持脚１２（１３）の中途に設けた周知構造のロック機構５により手摺棒１４を固定するが設けられている。
【００３１】
上述してきた構成において、本実施形態の特徴となるのは、図５に示すように、ストッパーピン４の先端形状を先細のテーパ状に形成する一方、ピン孔であるピン挿通孔２５及び第１のピン係合孔２３に、ストッパーピン４の先端形状に対応した内周面を有するブッシュ６を配設したことにある。
【００３２】
本実施形態におけるブッシュ６は、ピン挿通孔２５に嵌装する内側ブッシュ６１と、第１のピン係合孔２３に嵌装する外側ブッシュ６２とからなり、共にステンレス製としている。
【００３３】
内側ブッシュ６１は、ピン挿通孔２５に嵌合される筒部６１ａと、この筒部６１ａに連続して形成されたフランジ部６１ｂとからなり、筒部６１ａの内周面６１ｃをストッパーピン４の軸部に対応した形状とし、ストッパーピン４の軸径に対応する径を有する形状としている。
【００３４】
一方、外側ブッシュ６２は、これも第１のピン係合孔２３に嵌合される筒部６２ａと、この筒部６２ａに連続して形成されたフランジ部６２ｂとからなり、筒部６２ａの内周面６２ｃは、テーパ状に形成されたストッパーピン４の先端形状に対応させて、逆テーパ状に形成している。
【００３５】
したがって、図示するように、ストッパーピン４をピン孔に挿通すると、その先端部をブッシュ６（内側ブッシュ６１及び外側ブッシュ６２）によって面接触で受けるため、ピン孔とストッパーピン４との間にあそびが生じず、また、経年的にも両者において摩耗などの発生を可及的に防止することができる。そのため、長期間使用しても、支持脚１２，１３の安定した固定を維持でき、揺れやガタのない使い勝手の良好な作業台として長期にわたる使用が可能となる。
【００３６】
また、バネ座部としても機能し、ストッパーピン４の基部となる屈曲端部４０の近傍に位置したカラー２７は、その内径がストッパーピン４の軸径に対して公差＋０．１ｍｍの精度で形成されている。
【００３７】
すなわち、従来であれば、ストッパーピン４の基部側も、単なるピン孔に挿通されていたものを、本実施形態では、軸径に見合った内径を有するカラー２７で支持している。つまり、ストッパーピン４は、基部側ではカラー２７により、先端側はブッシュ６により、ピン孔との間でガタなどがない状態で支持されることになる。したがって、ストッパーピン４の摺動もガタなく円滑に行われ、上述した効果をより高めることが可能となっている。
【００３８】
ところで、上述してきた実施形態では、ピン挿通孔２５に内側ブッシュ６１を設けた構成としたが、ブッシュ６は少なくとも第１のピン係合孔２３に取り付けられていればよいため、内側ブッシュ６１を廃止して、外側ブッシュ６２のみを用いることもできる。
【符号の説明】
【００３９】
２  第１の固定機構
３  第２の固定機構
４  ストッパーピン
６  ブッシュ
１１  足場板
１２  第１の支持脚
１３  第２の支持脚
２１  固定板
２２  可動板
２３  第１のピン係合孔（ピン孔）
２４  第２のピン係合孔（ピン孔）
２５  ピン挿通孔（ピン孔）
６１  内側ブッシュ
６２  外側ブッシュ
【図１】
0005485658.tif 000002
【図２】
0005485658.tif 000003
【図３】
0005485658.tif 000004
【図４】
0005485658.tif 000005
【図５】
0005485658.tif 000006
【図６】
0005485658.tif 000007